【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
変換種類および変換された絵画調画像の特徴を表すアート変換特徴パラメータと、ＢＧＭとして再生される曲の各音を表す曲データの特徴を表す曲再生特徴パラメータとを記憶するパラメータ記憶手段と、
前記パラメータ記憶手段に記憶されるアート変換特徴パラメータ中の変換種類に従って表示画像を絵画調画像にアート変換するアート変換手段と、
前記アート変換手段によりアート変換された絵画調画像の特徴を表すアート変換特徴パラメータと、ＢＧＭとして再生される曲の各音を表す曲データの特徴を表す曲再生特徴パラメータとを前記パラメータ記憶手段から読み出し、読み出した両パラメータの比較に基づきアート変換された絵画調画像の特徴に対してＢＧＭとして再生される曲の調和・非調和を判別する判別手段と、
前記判別手段により非調和と判別された場合に、アート変換された絵画調画像の特徴に対してＢＧＭとして再生される曲が調和するよう当該曲を編曲する編曲手段と
を具備することを特徴とする楽音制御装置。
【請求項２】
前記判別手段は、アート変換特徴パラメータおよび曲再生特徴パラメータがそれぞれ有する複数の共通項目の内、地域を表す項目の内容が双方で異なる場合に、アート変換された絵画調画像の特徴に対してＢＧＭとして再生される曲が非調和と判別することを特徴とする請求項１記載の楽音制御装置。
【請求項３】
前記編曲手段は、地域別の楽器音が登録される変更テーブルを備え、曲再生特徴パラメータ中の「地域」と、アート変換特徴パラメータ中の「地域」とが異なって前記判別手段により非調和と判別された場合に、当該変更テーブルを参照してアート変換特徴パラメータ中の「地域」に該当する楽器音となるように曲の音色を変更することを特徴とする請求項１記載の楽音制御装置。
【請求項４】
変換種類および変換された絵画調画像の特徴を表すアート変換特徴パラメータと、ＢＧＭとして再生される曲の各音を表す曲データの特徴を表す曲再生特徴パラメータとを記憶するパラメータ記憶手段を備えた楽音制御装置のコンピュータに、
前記パラメータ記憶手段に記憶されるアート変換特徴パラメータ中の変換種類に従って表示画像を絵画調画像にアート変換するアート変換ステップと、
前記アート変換ステップにてアート変換された絵画調画像の特徴を表すアート変換特徴パラメータと、ＢＧＭとして再生される曲の各音を表す曲データの特徴を表す曲再生特徴パラメータとの比較に基づきアート変換された絵画調画像の特徴に対してＢＧＭとして再生される曲の調和・非調和を判別する判別ステップと、
前記判別ステップにて非調和と判別された場合に、アート変換された絵画調画像の特徴に対してＢＧＭとして再生される曲が調和するよう当該曲を編曲する編曲ステップと
を実行させることを特徴とするプログラム。
【請求項５】
画像の画調の特徴を表す画像特徴パラメータと、ＢＧＭとして再生される曲の曲データの特徴を表す曲特徴パラメータとを記憶するパラメータ記憶手段を備えた楽音制御装置の楽音制御方法において、
前記楽音制御装置のコンピュータが、
前記パラメータ記憶手段に記憶されている画像特徴パラメータに従って画調を変換された画像を表示させる画像表示ステップと、
前記画調を変換された画像のＢＧＭとして曲を再生させる曲再生ステップと、
前記画像表示ステップにより表示された画像の画像特徴パラメータと、前記曲再生ステップによりＢＧＭとして再生された曲の曲特徴パラメータとを前記パラメータ記憶手段から読み出し、読み出した両パラメータの比較に基づき表示された画像と再生された曲の調和・非調和を判別する判別ステップと、
前記判別ステップにより非調和と判別された場合に、前記ＢＧＭとして再生される曲が前記表示された画像に調和するように調整する曲調整ステップと
を具備することを特徴とする楽音制御方法。
【請求項６】
画像の画調の特徴を表す画像特徴パラメータと、ＢＧＭとして再生される曲の曲データの特徴を表す曲特徴パラメータとを記憶するパラメータ記憶手段と、
前記パラメータ記憶手段に記憶される画像特徴パラメータに従って表示画像の画調を変換する画調変換手段と、
前記画調変換手段により画調を変換された表示画像の特徴を表す画像特徴パラメータと、ＢＧＭとして再生される曲の曲データの特徴を表す曲特徴パラメータとを前記パラメータ記憶手段から読み出し、読み出した両パラメータの比較に基づき画調を変換された表示画像の特徴に対してＢＧＭとして再生される曲の調和・非調和を判別する判別手段と、
前記判別手段により非調和と判別された場合に、前記画調変換された表示画像の特徴に対してＢＧＭとして再生される曲が調和するように調整する曲調整手段と
を具備することを特徴とする楽音制御装置。
【手続補正２】
【補正対象書類名】明細書
【補正対象項目名】発明の名称
【補正方法】変更
【補正の内容】
【発明の名称】楽音制御装置およびプログラム並びに楽音制御方法
【手続補正３】
【補正対象書類名】明細書
【補正対象項目名】０００１
【補正方法】変更
【補正の内容】
【０００１】
本発明は、絵画風に変換された画像（以下、絵画調画像と称す）の特徴に調和するようにＢＧＭとして再生される曲を編曲する楽音制御装置およびプログラム並びに楽音制御方法に関する。
【手続補正４】
【補正対象書類名】明細書
【補正対象項目名】０００５
【補正方法】変更
【補正の内容】
【０００５】
本発明は、このような事情に鑑みてなされたもので、表示された画像の画調の特徴に調和するようにＢＧＭとして再生される曲を調整することができる楽音制御装置およびプログラム並びに楽音制御方法を提供することを目的としている。
【手続補正５】
【補正対象書類名】明細書
【補正対象項目名】０００９
【補正方法】変更
【補正の内容】
【０００９】
請求項４に記載の発明は、変換種類および変換された絵画調画像の特徴を表すアート変換特徴パラメータと、ＢＧＭとして再生される曲の各音を表す曲データの特徴を表す曲再生特徴パラメータとを記憶するパラメータ記憶手段を備えた楽音制御装置のコンピュータに、前記パラメータ記憶手段に記憶されるアート変換特徴パラメータ中の変換種類に従って表示画像を絵画調画像にアート変換するアート変換ステップと、前記アート変換ステップにてアート変換された絵画調画像の特徴を表すアート変換特徴パラメータと、ＢＧＭとして再生される曲の各音を表す曲データの特徴を表す曲再生特徴パラメータとの比較に基づきアート変換された絵画調画像の特徴に対してＢＧＭとして再生される曲の調和・非調和を判別する判別ステップと、前記判別ステップにて非調和と判別された場合に、アート変換された絵画調画像の特徴に対してＢＧＭとして再生される曲が調和するよう当該曲を編曲する編曲ステップとを実行させることを特徴とするプログラムを提供するものである。
請求項５に記載の発明は、像の画調の特徴を表す画像特徴パラメータと、ＢＧＭとして再生される曲の曲データの特徴を表す曲特徴パラメータとを記憶するパラメータ記憶手段を備えた楽音制御装置の楽音制御方法において、前記楽音制御装置のコンピュータが、前記パラメータ記憶手段に記憶されている画像特徴パラメータに従って画調を変換された画像を表示させる画像表示ステップと、前記画調を変換された画像のＢＧＭとして曲を再生させる曲再生ステップと、前記画像表示ステップにより表示された画像の画像特徴パラメータと、前記曲再生ステップによりＢＧＭとして再生された曲の曲特徴パラメータとを前記パラメータ記憶手段から読み出し、読み出した両パラメータの比較に基づき表示された画像と再生された曲の調和・非調和を判別する判別ステップと、前記判別ステップにより非調和と判別された場合に、前記ＢＧＭとして再生される曲が前記表示された画像に調和するように調整する曲調整ステップとを具備することを特徴とする楽音制御方法を提供するものである。
請求項６に記載の発明は、画像の画調の特徴を表す画像特徴パラメータと、ＢＧＭとして再生される曲の曲データの特徴を表す曲特徴パラメータとを記憶するパラメータ記憶手段と、前記パラメータ記憶手段に記憶される画像特徴パラメータに従って表示画像の画調を変換する画調変換手段と、前記画調変換手段により画調を変換された表示画像の特徴を表す画像特徴パラメータと、ＢＧＭとして再生される曲の曲データの特徴を表す曲特徴パラメータとを前記パラメータ記憶手段から読み出し、読み出した両パラメータの比較に基づき画調を変換された表示画像の特徴に対してＢＧＭとして再生される曲の調和・非調和を判別する判別手段と、前記判別手段により非調和と判別された場合に、前記画調変換された表示画像の特徴に対してＢＧＭとして再生される曲が調和するように調整する曲調整手段とを具備することを特徴とする楽音制御装置を提供するものである。
【手続補正６】
【補正対象書類名】明細書
【補正対象項目名】００１０
【補正方法】変更
【補正の内容】
【００１０】
本発明では、画調変換されて表示された画像の、画調の特徴に調和するようにＢＧＭとして再生される曲を調整することができる。